(57)【要約】【課題】特性インピーダンス差が小さい積層コモンモードフィルタを提供する。【解決手段】第一コイルＣ１は、互いに電気的に接続されている渦巻きの第一コイル導体２１及び第二コイル導体２２を有している。第二コイルＣ２は、互いに電気的に接続されている渦巻きの第三コイル導体２３及び第四コイル導体２４を有している。第三コイルＣ３は、互いに電気的に接続されている渦巻きの第五コイル導体２５及び第六コイル導体２６を有している。第一〜第六コイル導体２１，２２，２３，２４，２５，２６は、一対の主面１ａ，１ｂが対向している方向で、第一コイル導体２１、第三コイル導体２３、第五コイル導体２５、第二コイル導体２２、第四コイル導体２４、第六コイル導体２６の順に配置されている。【選択図】図３
2018073854.tif 000002
【特許請求の範囲】
【請求項１】
互いに対向している一対の主面を有している素体と、
前記素体内に配置されており、互いに磁気結合する第一コイル、第二コイル、及び第三コイルと、を備え、
前記第一コイルは、渦巻き状の第一コイル導体及び第二コイル導体を有し、前記第一コイル導体と前記第二コイル導体とが電気的に接続されることにより構成され、
前記第二コイルは、渦巻き状の第三コイル導体及び第四コイル導体を有し、前記第三コイル導体と前記第四コイル導体とが電気的に接続されることにより構成され、
前記第三コイルは、渦巻き状の第五コイル導体及び第六コイル導体を有し、前記第五コイル導体と前記第六コイル導体とが電気的に接続されることにより構成され、
前記第一〜第六コイル導体は、前記一対の主面が対向している方向で、前記第一コイル導体、前記第三コイル導体、前記第五コイル導体、前記第二コイル導体、前記第四コイル導体、前記第六コイル導体の順に配置されている、積層コモンモードフィルタ。
【請求項２】
前記第一コイル導体の巻き数と前記第六コイル導体の巻き数とは、前記第五コイル導体の巻き数と前記第二コイル導体の巻き数とより小さい、請求項１に記載の積層コモンモードフィルタ。
【請求項３】
前記第一コイル導体の巻き数と前記第二コイル導体の巻き数との合計値と前記第五コイル導体の巻き数と前記第六コイル導体の巻き数との合計値とは、前記第三コイル導体の巻き数と前記第四コイル導体の巻き数との合計値より小さい、請求項１又は２に記載の積層コモンモードフィルタ。
【請求項４】
前記第三コイル導体及び前記第四コイル導体の各外径は、前記第一コイル導体、前記第二コイル導体、前記第五コイル導体、及び前記第六コイル導体の各外径よりも小さい、請求項３に記載の積層コモンモードフィルタ。
【発明の詳細な説明】
【技術分野】
【０００１】
本発明は、積層コモンモードフィルタに関する。
【背景技術】
【０００２】
互いに対向している一対の主面を有している素体と、素体内に配置されており、互いに磁気結合する第一コイル、第二コイル、及び第三コイルと、を備えている積層コモンモードフィルタが知られている（たとえば、特許文献１参照）。
【先行技術文献】
【特許文献】
【０００３】
【特許文献１】特許第３７６７４３７号公報
【発明の概要】
【発明が解決しようとする課題】
【０００４】
特許文献１に記載された積層コモンモードフィルタでは、第一〜第三コイルが、一対の主面が対向している方向で、第一コイル、第二コイル、第三コイルの順に配置されている。このため、第一コイルと第三コイルとの間隔が、第一コイルと第二コイルとの間隔と第二コイルと第三コイルとの間隔とより大きい。すなわち、間隔が各コイル間によって異なる。
【０００５】
間隔が各コイル間によって異なると、漏れＬ値が各コイル間によって異なる。上記積層コモンモードフィルタでは、第一コイルと第三コイルとの間での漏れインダクタンス値（以下、「漏れＬ値」と称する）が、第一コイルと第二コイルとの間での漏れＬ値、及び、第二コイルと第三コイルとの間での漏れＬ値と異なる。同様に、静電容量値も各コイル間によって異なる。上記積層コモンモードフィルタでは、第一コイルと第三コイルとの間での静電容量値は、第一コイルと第二コイルとの間での静電容量値、及び、第二コイルと第三コイルとの間での静電容量値と異なる。
【０００６】
第一コイルと第二コイルとの間での漏れＬ値、第二コイルと第三コイルとの間での漏れＬ値、及び第一コイルと第三コイルとの間での漏れＬ値の差（以下、単に「漏れＬ値差」と称する）、並びに、第一コイルと第二コイルとの間での静電容量値、第二コイルと第三コイルとの間での静電容量値、及び第一コイルと第三コイルとの間での静電容量値の差（以下、単に「静電容量値差」と称する）は、各コイル間の間隔の不均衡さに起因している。すなわち、第一コイルと第二コイルとの間隔、第二コイルと第三コイルとの間隔、及び、第一コイルと第三コイルとの間隔の不均衡さが大きいと、第一コイル及び第二コイルでの特性インピーダンスと、第二コイル及び第三コイルでの特性インピーダンスと、第一コイル及び第三コイルでの特性インピーダンスとの差（以下、単に「特性インピーダンス差」と称する）が大きくなる。特性インピーダンス差が大きくなると、信号品質などに悪影響を及ぼすおそれがある。
【０００７】
第一コイル及び第二コイルでの特性インピーダンスは、（第一コイルと第二コイルとの間での漏れＬ値／第一コイルと第二コイルとの間での静電容量値）１／２で表すことができる。第二コイル及び第三コイルでの特性インピーダンスは、（第二コイルと第三コイルとの間での漏れＬ値／第二コイルと第三コイルとの間での静電容量値）１／２で表すことができる。第一コイル及び第三コイルでの特性インピーダンスは、（第一コイルと第三コイルとの間での漏れＬ値／第一コイルと第三コイルとの間での静電容量値）１／２で表すことができる。
【０００８】
本発明の一つの態様は、特性インピーダンス差が小さい積層コモンモードフィルタを提供することを目的とする。
【課題を解決するための手段】
【０００９】
本発明の一つの態様に係る積層コモンモードフィルタは、互いに対向している一対の主面を有している素体と、素体内に配置されており、互いに磁気結合する第一コイル、第二コイル、及び第三コイルと、を備え、第一コイルは、渦巻き状の第一コイル導体及び第二コイル導体を有し、第一コイル導体と第二コイル導体とが電気的に接続されることにより構成され、第二コイルは、渦巻き状の第三コイル導体及び第四コイル導体を有し、第三コイル導体と第四コイル導体とが電気的に接続されることにより構成され、第三コイルは、渦巻き状の第五コイル導体及び第六コイル導体を有し、第五コイル導体と第六コイル導体とが電気的に接続されることにより構成され、第一〜第六コイル導体は、一対の主面が対向している方向で、第一コイル導体、第三コイル導体、第五コイル導体、第二コイル導体、第四コイル導体、第六コイル導体の順に配置されている。
【００１０】
本発明の一つの態様に係る積層コモンモードフィルタでは、第一コイルと第二コイルとの間隔、第二コイルと第三コイルとの間隔、及び、第一コイルと第三コイルとの間隔の不均衡さが小さいので、特性インピーダンス差が小さい。
【００１１】
第一コイル導体の巻き数と第六コイル導体の巻き数とは、第五コイル導体の巻き数と第二コイル導体の巻き数とより小さくてもよい。この場合、特性インピーダンス差が更に小さい。
【００１２】
第一コイル導体の巻き数と第二コイル導体の巻き数との合計値と第五コイル導体の巻き数と第六コイル導体の巻き数との合計値とは、第三コイル導体の巻き数と第四コイル導体の巻き数との合計値より小さくてもよい。この場合、第一コイル及び第三コイルの各インダクタンス値が第二コイルに比して小さいので、第一コイルと第三コイルとの間での漏れＬ値が小さく、特性インピーダンス差が更に小さい。
【００１３】
第三コイル導体及び第四コイル導体の各外径は、第一コイル導体、第二コイル導体、第五コイル導体、及び第六コイル導体の各外径よりも小さくてもよい。この場合、第三コイル導体及び第四コイル導体の各外径が、第一コイル導体、第二コイル導体、第五コイル導体、及び第六コイル導体の各外径と同等である構成に比して、第三コイル導体及び第四コイル導体の各内径を小さくできる。このため、第一コイル及び第三コイルの各インダクタンス値と第二コイルのインダクタンス値との差を小さくできる。
【発明の効果】
【００１４】
本発明の一つの態様によれば、特性インピーダンス差が小さい積層コモンモードフィルタを提供することができる。
【図面の簡単な説明】
【００１５】
【図１】一実施形態に係る積層コモンモードフィルタを示す斜視図である。
【図２】素体の断面構成を説明するための図である。
【図３】素体の構成を示す分解斜視図である。
【図４】第一コイル導体と第二コイル導体とを示す平面図である。
【図５】第三コイル導体と第四コイル導体とを示す平面図である。
【図６】第五コイル導体と第六コイル導体とを示す平面図である。
【図７】本実施形態の第一変形例に係る積層コモンモードフィルタが備える素体の断面構成を説明するための図である。
【図８】第一コイル導体と第二コイル導体とを示す平面図である。
【図９】第五コイル導体と第六コイル導体とを示す平面図である。
【図１０】本実施形態の第二変形例に係る積層コモンモードフィルタが備える素体の断面構成を説明するための図である。
【図１１】第一コイル導体と第二コイル導体とを示す平面図である。
【図１２】第五コイル導体と第六コイル導体とを示す平面図である。
【図１３】本実施形態の第三変形例に係る積層コモンモードフィルタが備える素体の断面構成を説明するための図である。
【図１４】第一コイル導体と第二コイル導体とを示す平面図である。
【図１５】第五コイル導体と第六コイル導体とを示す平面図である。
【図１６】第四変形例に係る積層コモンモードフィルタが備える素体の断面構成を説明するための図である。
【図１７】第三コイル導体と第四コイル導体とを示す平面図である。
【発明を実施するための形態】
【００１６】
以下、添付図面を参照して、本発明の実施形態について詳細に説明する。なお、説明において、同一要素又は同一機能を有する要素には、同一符号を用いることとし、重複する説明は省略する。
【００１７】
図１及び図２を参照して、本実施形態に係る積層コモンモードフィルタＣＦ１の構成を説明する。図１は、本実施形態に係る積層コモンモードフィルタを示す斜視図である。図２は、素体の断面構成を説明するための図である。図３は、素体の構成を示す分解斜視図である。
【００１８】
積層コモンモードフィルタＣＦ１は、図１に示されるように、素体１と、素体１の外表面に配置される第一端子電極１１、第二端子電極１２、第三端子電極１３、第四端子電極１４、第五端子電極１５、及び第六端子電極１６と、を備えている。積層コモンモードフィルタＣＦ１は、第一端子電極１１、第二端子電極１２、第三端子電極１３、第四端子電極１４、第五端子電極１５、及び第六端子電極１６がそれぞれ信号ラインに接続されるように、電子機器（たとえば、回路基板又は電子部品など）に実装される。
【００１９】
素体１は、直方体形状を呈している。素体１は、その外表面として、互いに対向する長方形状の第一主面１ａ及び第二主面１ｂと、互いに対向する第一側面１ｃ及び第二側面１ｄと、互いに対向する第三側面１ｅ及び第四側面１ｆと、を有している。素体１の長手方向は、第三側面１ｅと第四側面１ｆとが対向している方向である。素体１の幅方向は、第一側面１ｃと第二側面１ｄとが対向している方向である。素体１の高さ方向は、第一主面１ａと第二主面１ｂとが対向している方向である。直方体形状には、角部及び稜線部が面取りされている直方体の形状、及び、角部及び稜線部が丸められている直方体の形状が含まれる。
【００２０】
第一及び第二側面１ｃ，１ｄは、第一主面１ａと第二主面１ｂとを連結するように素体１の高さ方向に延在している。第一及び第二側面１ｃ，１ｄは、素体１の長手方向（第一及び第二主面１ａ，１ｂの長辺方向）にも延在している。第三及び第四側面１ｅ，１ｆは、第一主面１ａと第二主面１ｂとを連結するように素体１の高さ方向に延在している。第三及び第四側面１ｅ，１ｆは、素体１の幅方向（第一及び第二主面１ａ，１ｂの短辺方向）にも延在している。
【００２１】
素体１は、図２に示されるように、非磁性体部３と、素体１の高さ方向で非磁性体部３を挟むように配置された一対の磁性体部５と、を有している。素体１は、積層されている複数の絶縁体層により構成されている。非磁性体部３では、絶縁体層として、複数の非磁性体層４が積層されている。すなわち、非磁性体部３は、積層された複数の非磁性体層４により構成されている。各磁性体部５では、絶縁体層として、複数の磁性体層６が積層されている。すなわち、磁性体部５は、積層された複数の磁性体層６により構成されている。複数の絶縁体層は、複数の非磁性体層４と複数の磁性体層６とを含んでいる。
【００２２】
各非磁性体層４は、たとえば非磁性材料（Ｃｕ−Ｚｎ系フェライト材料、誘電体材料、又はガラスセラミック材料など）を含むセラミックグリーンシートの焼結体から構成される。各磁性体層６は、たとえば磁性材料（Ｎｉ−Ｃｕ−Ｚｎ系フェライト材料、Ｎｉ−Ｃｕ−Ｚｎ−Ｍｇ系フェライト材料、又はＮｉ−Ｃｕ系フェライト材料など）を含むセラミックグリーンシートの焼結体から構成される。
【００２３】
実際の素体１では、各非磁性体層４及び各磁性体層６は、層間の境界が視認できない程度に一体化されている。素体１の高さ方向、すなわち第一主面１ａと第二主面１ｂとが対向している方向は、複数の絶縁体層、すなわち、複数の非磁性体層４及び複数の磁性体層６が積層されている方向（以下、単に「積層方向」と称する。）と一致する。
【００２４】
第一端子電極１１、第三端子電極１３、及び第五端子電極１５は、素体１の第一側面１ｃ側に配置されている。第一端子電極１１、第三端子電極１３、及び第五端子電極１５は、第一側面１ｃの一部を素体１の高さ方向に沿って覆うように形成されていると共に、第一主面１ａの一部と第二主面１ｂの一部とに形成されている。第一端子電極１１は、第三側面１ｅ側に位置し、第五端子電極１５は、第四側面１ｆ側に位置している。第三端子電極１３は、第一端子電極１１と第五端子電極１５との間に位置している。
【００２５】
第二端子電極１２、第四端子電極１４、及び第六端子電極１６は、素体１の第二側面１ｄ側に配置されている。第二端子電極１２、第四端子電極１４、及び第六端子電極１６は、第二側面１ｄの一部を素体１の高さ方向に沿って覆うように形成されていると共に、第一主面１ａの一部と第二主面１ｂの一部とに形成されている。第二端子電極１２は、第三側面１ｅ側に位置し、第六端子電極１６は、第四側面１ｆ側に位置している。第四端子電極１４は、第二端子電極１２と第六端子電極１６との間に位置している。
【００２６】
第一〜第六端子電極１１，１２，１３，１４，１５，１６は、導電材（たとえば、Ａｇ又はＰｄなど）を含んでいる。第一〜第六端子電極１１，１２，１３，１４，１５，１６は、導電性材料（たとえば、Ａｇ粉末又はＰｄ粉末など）を含む導電性ペーストの焼結体として構成される。第一〜第六端子電極１１，１２，１３，１４，１５，１６の表面にはめっき層が形成されている。めっき層は、たとえば電気めっきにより形成される。めっき層は、Ｃｕめっき層、Ｎｉめっき層、及びＳｎめっき層からなる層構造、又は、Ｎｉめっき層及びＳｎめっき層からなる層構造などを有する。
【００２７】
積層コモンモードフィルタＣＦ１は、図２及び図３に示されるように、第一コイル導体２１、第二コイル導体２２、第三コイル導体２３、第四コイル導体２４、第五コイル導体２５、及び第六コイル導体２６を、非磁性体部３に備えている。第一〜第六コイル導体２１，２２，２３，２４，２５，２６は、導電材（たとえば、Ａｇ又はＰｄなど）を含んでいる。第一〜第六コイル導体２１，２２，２３，２４，２５，２６は、導電性材料（たとえば、Ａｇ粉末又はＰｄ粉末など）を含む導電性ペーストの焼結体として構成される。
【００２８】
第一コイル導体２１は、図４の（ａ）にも示されるように、渦巻き状であり、積層方向に隣り合う一対の非磁性体層４の間に配置されている。第一コイル導体２１の一端部（外側端部）２１ａは、第一側面１ｃに露出している。第一コイル導体２１は、第一側面１ｃに露出している端部で第一端子電極１１に接続されている。第一コイル導体２１の一端部２１ａは、第一端子電極１１との接続導体として機能する。第一コイル導体２１の他端部（内側端部）２１ｂは、第一コイル導体２１と同じ層に位置するパッド導体４１に接続されている。本実施形態では、第一コイル導体２１とパッド導体４１とは、一体的に形成されている。
【００２９】
第二コイル導体２２は、図４の（ｂ）にも示されるように、渦巻き状であり、積層方向に隣り合う一対の非磁性体層４の間に配置されている。第二コイル導体２２の一端部（外側端部）２２ａは、第二側面１ｄに露出している。第二コイル導体２２は、第二側面１ｄに露出している端部で第二端子電極１２に接続されている。第二コイル導体２２の一端部２２ａは、第二端子電極１２との接続導体として機能する。第二コイル導体２２の他端部（内側端部）２２ｂは、第二コイル導体２２と同じ層に位置するパッド導体４２に接続されている。本実施形態では、第二コイル導体２２とパッド導体４２とは、一体的に形成されている。
【００３０】
第三コイル導体２３は、図５の（ａ）にも示されるように、渦巻き状であり、積層方向に隣り合う一対の非磁性体層４の間に配置されている。第三コイル導体２３の一端部（外側端部）２３ａは、第一側面１ｃに露出している。第三コイル導体２３は、第一側面１ｃに露出している端部で第三端子電極１３に接続されている。第三コイル導体２３の一端部２３ａは、第三端子電極１３との接続導体として機能する。第三コイル導体２３の他端部（内側端部）２３ｂは、第三コイル導体２３と同じ層に位置するパッド導体４３に接続されている。本実施形態では、第三コイル導体２３とパッド導体４３とは、一体的に形成されている。
【００３１】
第四コイル導体２４は、図５の（ｂ）にも示されるように、渦巻き状であり、積層方向に隣り合う一対の非磁性体層４の間に配置されている。第四コイル導体２４の一端部（外側端部）２４ａは、第二側面１ｄに露出している。第四コイル導体２４は、第二側面１ｄに露出している端部で第四端子電極１４に接続されている。第四コイル導体２４の一端部２４ａは、第四端子電極１４との接続導体として機能する。第四コイル導体２４の他端部（内側端部）２４ｂは、第四コイル導体２４と同じ層に位置するパッド導体４４に接続されている。本実施形態では、第四コイル導体２４とパッド導体４４とは、一体的に形成されている。
【００３２】
第五コイル導体２５は、図６の（ａ）にも示されるように、渦巻き状であり、積層方向に隣り合う一対の非磁性体層４の間に配置されている。第五コイル導体２５の一端部（外側端部）２５ａは、第一側面１ｃに露出している。第五コイル導体２５は、第一側面１ｃに露出している端部で第五端子電極１５に接続されている。第五コイル導体２５の一端部２５ａは、第五端子電極１５との接続導体として機能する。第五コイル導体２５の他端部（内側端部）２５ｂは、第五コイル導体２５と同じ層に位置するパッド導体４５に接続されている。本実施形態では、第五コイル導体２５とパッド導体４５とは、一体的に形成されている。
【００３３】
第六コイル導体２６は、図６の（ｂ）にも示されるように、渦巻き状であり、積層方向に隣り合う一対の非磁性体層４の間に配置されている。第六コイル導体２６の一端部（外側端部）２６ａは、第二側面１ｄに露出している。第六コイル導体２６は、第二側面１ｄに露出している端部で第六端子電極１６に接続されている。第六コイル導体２６の一端部２６ａは、第六端子電極１６との接続導体として機能する。第六コイル導体２６の他端部（内側端部）２６ｂは、第六コイル導体２６と同じ層に位置するパッド導体４６に接続されている。本実施形態では、第六コイル導体２６とパッド導体４６とは、一体的に形成されている。
【００３４】
第一〜第六コイル導体２１，２２，２３，２４，２５，２６は、素体１の高さ方向で、第一コイル導体２１、第三コイル導体２３、第五コイル導体２５、第二コイル導体２２、第四コイル導体２４、第六コイル導体２６の順に配置されている。第一〜第六コイル導体２１，２２，２３，２４，２５，２６は、積層方向から見て、同じ方向に巻き回されていると共に互いに重なり合うように位置している。
【００３５】
第一コイル導体２１と第三コイル導体２３とが積層方向で非磁性体層４を介して互いに隣り合っている。第三コイル導体２３と第五コイル導体２５とが積層方向で非磁性体層４を介して互いに隣り合っている。第五コイル導体２５と第二コイル導体２２とが積層方向で非磁性体層４を介して互いに隣り合っている。第二コイル導体２２と第四コイル導体２４とが積層方向で非磁性体層４を介して互いに隣り合っている。第四コイル導体２４と第六コイル導体２６とが積層方向で非磁性体層４を介して互いに隣り合っている。
【００３６】
第三コイル導体２３は、積層方向で、第一コイル導体２１と第五コイル導体２５との間に位置している。第五コイル導体２５は、積層方向で、第三コイル導体２３と第二コイル導体２２との間に位置している。第二コイル導体２２は、積層方向で、第五コイル導体２５と第四コイル導体２４との間に位置している。第四コイル導体２４は、積層方向で、第二コイル導体２２と第六コイル導体２６との間に位置している。
【００３７】
パッド導体４１とパッド導体４２とは、積層方向から見て、互いに重なり合うように位置している。パッド導体４１とパッド導体４２との間には、二つのパッド導体５１，５２が、積層方向から見て、パッド導体４１，４２と互いに重なり合うように配置されている。パッド導体５１は、第三コイル導体２３と同じ層に位置している。パッド導体５２は、第五コイル導体２５と同じ層に位置している。パッド導体４１とパッド導体５１とが積層方向で非磁性体層４を介して互いに隣り合い、パッド導体５１とパッド導体５２とが積層方向で非磁性体層４を介して互いに隣り合い、パッド導体５２とパッド導体４２とが積層方向で非磁性体層４を介して互いに隣り合っている。
【００３８】
パッド導体４１とパッド導体５１とパッド導体５２とパッド導体４２とは、それぞれスルーホール導体６１を介して接続されている。スルーホール導体６１は、パッド導体４１とパッド導体５１との間に位置する非磁性体層４と、パッド導体５１とパッド導体５２との間に位置する非磁性体層４と、パッド導体５２とパッド導体４２との間に位置する非磁性体層４と、を貫通している。
【００３９】
パッド導体４３とパッド導体４４とは、積層方向から見て、互いに重なり合うように位置している。パッド導体４３とパッド導体４４との間には、二つのパッド導体５３，５４が、積層方向から見て、パッド導体４３，４４と互いに重なり合うように配置されている。パッド導体５３は、第五コイル導体２５と同じ層に位置している。パッド導体５４は、第二コイル導体２２と同じ層に位置している。パッド導体４３とパッド導体５３とが積層方向で非磁性体層４を介して互いに隣り合い、パッド導体５３とパッド導体５４とが積層方向で非磁性体層４を介して互いに隣り合い、パッド導体５４とパッド導体４４とが積層方向で非磁性体層４を介して互いに隣り合っている。
【００４０】
パッド導体４３とパッド導体５３とパッド導体５４とパッド導体４４とは、それぞれスルーホール導体６２を介して接続されている。スルーホール導体６２は、パッド導体４３とパッド導体５３との間に位置する非磁性体層４と、パッド導体５３とパッド導体５４との間に位置する非磁性体層４と、パッド導体５４とパッド導体４４との間に位置する非磁性体層４と、を貫通している。
【００４１】
パッド導体４５とパッド導体４６とは、積層方向から見て、互いに重なり合うように位置している。パッド導体４５とパッド導体４６との間には、二つのパッド導体５５，５６が、積層方向から見て、パッド導体４５，４６と互いに重なり合うように配置されている。パッド導体５５は、第二コイル導体２２と同じ層に位置している。パッド導体５６は、第四コイル導体２４と同じ層に位置している。パッド導体４５とパッド導体５５とが積層方向で非磁性体層４を介して互いに隣り合い、パッド導体５５とパッド導体５６とが積層方向で非磁性体層４を介して互いに隣り合い、パッド導体５６とパッド導体４６とが積層方向で非磁性体層４を介して互いに隣り合っている。
【００４２】
パッド導体４５とパッド導体５５とパッド導体５６とパッド導体４６とは、それぞれスルーホール導体６３を介して接続されている。スルーホール導体６３は、パッド導体４５とパッド導体５５との間に位置する非磁性体層４と、パッド導体５５とパッド導体５６との間に位置する非磁性体層４と、パッド導体５６とパッド導体４６との間に位置する非磁性体層４と、を貫通している。
【００４３】
第一コイル導体２１と第二コイル導体２２とは、パッド導体４１、パッド導体５１、パッド導体５２、パッド導体４２、及びスルーホール導体６１を通して、電気的に接続されている。第一コイル導体２１と第二コイル導体２２とは、第一コイルＣ１を構成している。
【００４４】
第三コイル導体２３と第四コイル導体２４とは、パッド導体４３、パッド導体５３、パッド導体５４、パッド導体４４、及びスルーホール導体６２を通して、電気的に接続されている。第三コイル導体２３と第四コイル導体２４とは、第二コイルＣ２を構成している。
【００４５】
第五コイル導体２５と第六コイル導体２６とは、パッド導体４５、パッド導体５５、パッド導体５６、パッド導体４６、及びスルーホール導体６３を通して、電気的に接続されている。第五コイル導体２５と第六コイル導体２６とは、第三コイルＣ３を構成している。
【００４６】
積層コモンモードフィルタＣＦ１は、素体１（非磁性体部３）内に、第一コイルＣ１と第二コイルＣ２と第三コイルＣ３を備える。第一コイルＣ１と第二コイルＣ２と第三コイルＣ３は、互いに磁気結合する。
【００４７】
パッド導体５１，５２，５３，５４，５５，５６及びスルーホール導体６１，６２，６３は、導電材（たとえば、Ａｇ又はＰｄなど）を含んでいる。パッド導体５１，５２，５３，５４，５５，５６及びスルーホール導体６１，６２，６３は、導電性材料（たとえば、Ａｇ粉末又はＰｄ粉末など）を含む導電性ペーストの焼結体として構成される。スルーホール導体６１，６２，６３は、対応する非磁性体層４を構成することとなるセラミックグリーンシートに形成された貫通孔に充填された導電性ペーストが焼結することにより形成される。
【００４８】
本実施形態では、第一コイル導体２１の巻き数と第二コイル導体２２の巻き数とは、３．７５である。第一コイルＣ１の巻き数（第一コイル導体２１の巻き数と第二コイル導体２２の巻き数との合計値）は、７．５である。第三コイル導体２３の巻き数と第四コイル導体２４の巻き数とは、３．７５である。第二コイルＣ２の巻き数（第三コイル導体２３の巻き数と第四コイル導体２４の巻き数との合計値）は、７．５である。第五コイル導体２５の巻き数と第六コイル導体２６の巻き数とは、３．７５である。第三コイルＣ３の巻き数（第五コイル導体２５の巻き数と第六コイル導体２６の巻き数との合計値）は、７．５である。
【００４９】
本実施形態では、第一コイル導体２１、第二コイル導体２２、第三コイル導体２３、第四コイル導体２４、第五コイル導体２５、及び第六コイル導体２６の各外径は、同等である。第一コイル導体２１、第二コイル導体２２、第三コイル導体２３、第四コイル導体２４、第五コイル導体２５、及び第六コイル導体２６の各内径も、同等である。
【００５０】
以上のように、本実施形態では、第一〜第六コイル導体２１，２２，２３，２４，２５，２６が、素体１の高さ方向で、第一コイル導体２１、第三コイル導体２３、第五コイル導体２５、第二コイル導体２２、第四コイル導体２４、第六コイル導体２６の順に配置されている。したがって、積層コモンモードフィルタＣＦ１では、第一〜第三コイルが、積層方向で、第一コイル、第二コイル、第三コイルの順に配置されている積層コモンモードフィルタに比して、第一コイルＣ１と第二コイルＣ２との間隔、第二コイルＣ２と第三コイルＣ３との間隔、及び、第一コイルＣ１と第三コイルＣ３との間隔の不均衡さが小さい。この結果、積層コモンモードフィルタＣＦ１では、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとの差が小さい。
【００５１】
次に、図７〜図９及び図５を参照して、本実施形態の第一変形例に係る積層コモンモードフィルタＣＦ２の構成を説明する。図７は、第一変形例に係る積層コモンモードフィルタが備える素体の断面構成を説明するための図である。図８は、第一コイル導体と第二コイル導体とを示す平面図である。図９は、第五コイル導体と第六コイル導体とを示す平面図である。
【００５２】
積層コモンモードフィルタＣＦ２は、上述した積層コモンモードフィルタＣＦ１と同様に、素体１と、素体１の外表面に配置される第一端子電極１１、第二端子電極１２、第三端子電極１３、第四端子電極１４、第五端子電極１５、及び第六端子電極１６と、を備えている（図１参照）。積層コモンモードフィルタＣＦ２は、図７〜図９に示されるように、第一コイル導体２１、第二コイル導体２２、第三コイル導体２３、第四コイル導体２４、第五コイル導体２５、及び第六コイル導体２６を、非磁性体部３に備えている。
【００５３】
積層コモンモードフィルタＣＦ２は、第一コイル導体２１、第二コイル導体２２、第五コイル導体２５、及び第六コイル導体２６の形状（巻き数）が積層コモンモードフィルタＣＦ１と相違している。積層コモンモードフィルタＣＦ２が備える第三コイル導体２３及び第四コイル導体２４は、図５に示されている第三コイル導体２３及び第四コイル導体２４と同じである。
【００５４】
第一変形例では、第一コイル導体２１の巻き数は、２．７５である。第二コイル導体２２の巻き数は、４．７５である。第一コイルＣ１の巻き数（第一コイル導体２１の巻き数と第二コイル導体２２の巻き数との合計値）は、７．５である。第三コイル導体２３の巻き数と第四コイル導体２４の巻き数とは、３．７５である（図５参照）。第二コイルＣ２の巻き数（第三コイル導体２３の巻き数と第四コイル導体２４の巻き数との合計値）は、７．５である。第五コイル導体２５の巻き数は、４．７５である。第六コイル導体２６の巻き数は、２．７５である。第三コイルＣ３の巻き数（第五コイル導体２５の巻き数と第六コイル導体２６の巻き数との合計値）は、７．５である。
【００５５】
第一変形例では、第一コイル導体２１、第二コイル導体２２、第三コイル導体２３、第四コイル導体２４、第五コイル導体２５、及び第六コイル導体２６の各外径は、同等である。第一コイル導体２１の内径と第六コイル導体２６の内径とは、同等である。第二コイル導体２２の内径と第五コイル導体２５の内径とは、同等である。第三コイル導体２３の内径と第四コイル導体２４の内径とは、同等である。第一コイル導体２１及び第六コイル導体２６の各内径は、第三コイル導体２３及び第四コイル導体２４の各内径より大きい。第二コイル導体２２及び第五コイル導体２５の各内径は、第三コイル導体２３及び第四コイル導体２４の各内径より小さい。
【００５６】
第一変形例では、第三コイル導体２３の巻き数と第四コイル導体２４の巻き数とは、第五コイル導体２５の巻き数と第二コイル導体２２の巻き数とより小さく、かつ、第一コイル導体２１の巻き数と第六コイル導体２６の巻き数とより大きい。すなわち、第一コイル導体２１の巻き数と第六コイル導体２６の巻き数とは、第五コイル導体２５の巻き数と第二コイル導体２２の巻き数とより小さい。
【００５７】
第一コイルＣ１と第三コイルＣ３とに関し、第一コイル導体２１と第五コイル導体２５との間隔、及び、第二コイル導体２２と第六コイル導体２６との間隔は、第五コイル導体２５と第二コイル導体２２との間隔より大きい。第一コイルＣ１と第二コイルＣ２とに関し、第三コイル導体２３と第二コイル導体２２との間隔は、第一コイル導体２１と第三コイル導体２３との間隔、及び、第二コイル導体２２と第四コイル導体２４との間隔より大きい。第二コイルＣ２と第三コイルＣ３とに関し、第五コイル導体２５と第四コイル導体２４との間隔は、第三コイル導体２３と第五コイル導体２５との間隔、及び、第四コイル導体２４と第六コイル導体２６との間隔より大きい。
【００５８】
したがって、第一〜第六コイル導体２１，２２，２３，２４，２５，２６の巻き数が同じである場合、第一コイルＣ１と第三コイルＣ３との間での漏れＬ値は、第一コイルＣ１と第二コイルＣ２との間での漏れＬ値、及び、第二コイルＣ２と第三コイルＣ３との間での漏れＬ値より大きい。また、第一コイルＣ１と第三コイルＣ３との間の静電容量値は、第一コイルＣ１と第二コイルＣ２との間の静電容量値、及び、第二コイルＣ２と第三コイルＣ３との間の静電容量値より小さい。これらの結果、第一コイルＣ１及び第三コイルＣ３での特性インピーダンスが、第一コイルＣ１及び第二コイルＣ２での特性インピーダンス、及び、第二コイルＣ２及び第三コイルＣ３での特性インピーダンスより大きいおそれがある。
【００５９】
第一コイル導体２１と第六コイル導体２６とは、素体１の高さ方向（積層方向）での距離が離れているため、磁気結合し難い。積層コモンモードフィルタＣＦ２では、積層コモンモードフィルタＣＦ１に比して、互いに磁気結合し難い第一コイル導体２１及び第六コイル導体２６の各巻き数が小さい。このため、積層コモンモードフィルタＣＦ２では、積層コモンモードフィルタＣＦ１に比して、第一コイルＣ１と第三コイルＣ３との間での漏れＬ値が小さい。
【００６０】
積層コモンモードフィルタＣＦ２では、積層コモンモードフィルタＣＦ１に比して、第一コイル導体２１の巻き数と第六コイル導体２６の巻き数とが小さい。このため、積層コモンモードフィルタＣＦ２では、積層コモンモードフィルタＣＦ１に比して、第一コイルＣ１と第二コイルＣ２との間での静電容量値と第二コイルＣ２と第三コイルＣ３との間での静電容量値とが小さい。積層コモンモードフィルタＣＦ２では、積層コモンモードフィルタＣＦ１に比して、第二コイル導体２２の巻き数と第五コイル導体２５の巻き数とが大きい。このため、積層コモンモードフィルタＣＦ２では、積層コモンモードフィルタＣＦ１に比して、第一コイルＣ１と第三コイルＣ３との間での静電容量値が大きい。
【００６１】
上述した漏れＬ値及び静電容量値に関する事項から、積層コモンモードフィルタＣＦ２では、積層コモンモードフィルタＣＦ１に比して、第一コイルＣ１及び第三コイルＣ３での特性インピーダンスが小さく、第一コイルＣ１及び第二コイルＣ２での特性インピーダンス、及び、第二コイルＣ２及び第三コイルＣ３でのインピーダンスが大きい。
【００６２】
これらの結果、積層コモンモードフィルタＣＦ２では、積層コモンモードフィルタＣＦ１に比して、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとのばらつきが抑制されている。すなわち、積層コモンモードフィルタＣＦ２では、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとの差が更に小さい。
【００６３】
次に、図１０〜図１２及び図５を参照して、本実施形態の第二変形例に係る積層コモンモードフィルタＣＦ３の構成を説明する。図１０は、第二変形例に係る積層コモンモードフィルタが備える素体の断面構成を説明するための図である。図１１は、第一コイル導体と第二コイル導体とを示す平面図である。図１２は、第五コイル導体と第六コイル導体とを示す平面図である。
【００６４】
積層コモンモードフィルタＣＦ３は、上述した積層コモンモードフィルタＣＦ１，ＣＦ２と同様に、素体１と、素体１の外表面に配置される第一端子電極１１、第二端子電極１２、第三端子電極１３、第四端子電極１４、第五端子電極１５、及び第六端子電極１６と、を備えている（図１参照）。積層コモンモードフィルタＣＦ３は、図１１〜図１４に示されるように、第一コイル導体２１、第二コイル導体２２、第三コイル導体２３、第四コイル導体２４、第五コイル導体２５、及び第六コイル導体２６を、非磁性体部３に備えている。
【００６５】
積層コモンモードフィルタＣＦ３は、第一コイル導体２１、第二コイル導体２２、第五コイル導体２５、及び第六コイル導体２６の形状（巻き数）が積層コモンモードフィルタＣＦ１，ＣＦ２と相違している。積層コモンモードフィルタＣＦ３が備える第三コイル導体２３及び第四コイル導体２４は、図５に示されている第三コイル導体２３及び第四コイル導体２４と同じである。
【００６６】
第二変形例では、第一コイル導体２１の巻き数は、１．７５である。第二コイル導体２２の巻き数は、５．７５である。第一コイルＣ１の巻き数（第一コイル導体２１の巻き数と第二コイル導体２２の巻き数との合計値）は、７．５である。第三コイル導体２３の巻き数と第四コイル導体２４の巻き数とは、３．７５である（図５参照）。第二コイルＣ２の巻き数（第三コイル導体２３の巻き数と第四コイル導体２４の巻き数との合計値）は、７．５である。第五コイル導体２５の巻き数は、５．７５である。第六コイル導体２６の巻き数は、１．７５である。第三コイルＣ３の巻き数（第五コイル導体２５の巻き数と第六コイル導体２６の巻き数との合計値）は、７．５である。
【００６７】
第二変形例でも、第一変形例と同様に、第一コイル導体２１、第二コイル導体２２、第三コイル導体２３、第四コイル導体２４、第五コイル導体２５、及び第六コイル導体２６の各外径は、同等である。第一コイル導体２１の内径と第六コイル導体２６の内径とは、同等である。第二コイル導体２２の内径と第五コイル導体２５の内径とは、同等である。第三コイル導体２３の内径と第四コイル導体２４の内径とは、同等である。第一コイル導体２１及び第六コイル導体２６の各内径は、第三コイル導体２３及び第四コイル導体２４の各内径より大きい。第二コイル導体２２及び第五コイル導体２５の各内径は、第三コイル導体２３及び第四コイル導体２４の各内径より小さい。
【００６８】
第二変形例でも、第三コイル導体２３の巻き数と第四コイル導体２４の巻き数とは、第五コイル導体２５の巻き数と第二コイル導体２２の巻き数とより小さく、かつ、第一コイル導体２１の巻き数と第六コイル導体２６の巻き数とより大きい。すなわち、第一コイル導体２１の巻き数と第六コイル導体２６の巻き数とは、第五コイル導体２５の巻き数と第二コイル導体２２の巻き数とより小さい。
【００６９】
積層コモンモードフィルタＣＦ３では、積層コモンモードフィルタＣＦ２に比して、互いに磁気結合し難い第一コイル導体２１及び第六コイル導体２６の各巻き数が小さい。このため、積層コモンモードフィルタＣＦ３では、積層コモンモードフィルタＣＦ３に比して、第一コイルＣ１と第三コイルＣ３との間での漏れＬ値が小さい。
【００７０】
積層コモンモードフィルタＣＦ３では、積層コモンモードフィルタＣＦ２に比して、第一コイル導体２１の巻き数と第六コイル導体２６の巻き数とが小さい。このため、積層コモンモードフィルタＣＦ３では、積層コモンモードフィルタＣＦ２に比して、第一コイルＣ１と第二コイルＣ２との間での静電容量値と第二コイルＣ２と第三コイルＣ３との間での静電容量値とが小さい。積層コモンモードフィルタＣＦ３では、積層コモンモードフィルタＣＦ２に比して、第二コイル導体２２の巻き数と第五コイル導体２５の巻き数とが大きい。このため、積層コモンモードフィルタＣＦ３では、積層コモンモードフィルタＣＦ２に比して、第一コイルＣ１と第三コイルＣ３との間での静電容量値が大きい。
【００７１】
上述した漏れＬ値及び静電容量値に関する事項から、積層コモンモードフィルタＣＦ３では、積層コモンモードフィルタＣＦ２に比して、第一コイルＣ１及び第三コイルＣ３での特性インピーダンスが小さく、第一コイルＣ１及び第二コイルＣ２での特性インピーダンス、及び、第二コイルＣ２及び第三コイルＣ３での特性インピーダンスが大きい。
【００７２】
これらの結果、積層コモンモードフィルタＣＦ３では、積層コモンモードフィルタＣＦ２に比して、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとのばらつきが抑制されている。すなわち、積層コモンモードフィルタＣＦ３では、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとの差が更に小さい。
【００７３】
次に、図１３〜図１５及び図５を参照して、本実施形態の第三変形例に係る積層コモンモードフィルタＣＦ４の構成を説明する。図１３は、第三変形例に係る積層コモンモードフィルタが備える素体の断面構成を説明するための図である。図１４は、第一コイル導体と第二コイル導体とを示す平面図である。図１５は、第五コイル導体と第六コイル導体とを示す平面図である。
【００７４】
積層コモンモードフィルタＣＦ４は、上述した積層コモンモードフィルタＣＦ１と同様に、素体１と、素体１の外表面に配置される第一端子電極１１、第二端子電極１２、第三端子電極１３、第四端子電極１４、第五端子電極１５、及び第六端子電極１６と、を備えている（図１参照）。積層コモンモードフィルタＣＦ４は、図１３〜図１５に示されるように、第一コイル導体２１、第二コイル導体２２、第三コイル導体２３、第四コイル導体２４、第五コイル導体２５、及び第六コイル導体２６を、非磁性体部３に備えている。
【００７５】
積層コモンモードフィルタＣＦ４は、第一コイル導体２１、第二コイル導体２２、第五コイル導体２５、及び第六コイル導体２６の形状（巻き数）が積層コモンモードフィルタＣＦ１と相違している。積層コモンモードフィルタＣＦ４が備える第三コイル導体２３及び第四コイル導体２４は、図５に示されている第三コイル導体２３及び第四コイル導体２４と同じである。
【００７６】
第三変形例では、第一コイル導体２１の巻き数は、１．７５である。第二コイル導体２２の巻き数は、４．７５である。第一コイルＣ１の巻き数（第一コイル導体２１の巻き数と第二コイル導体２２の巻き数との合計値）は、６．５である。第三コイル導体２３の巻き数と第四コイル導体２４の巻き数とは、３．７５である（図５参照）。第二コイルＣ２の巻き数（第三コイル導体２３の巻き数と第四コイル導体２４の巻き数との合計値）は、７．５である。第五コイル導体２５の巻き数は、４．７５である。第六コイル導体２６の巻き数は、１．７５である。第三コイルＣ３の巻き数（第五コイル導体２５の巻き数と第六コイル導体２６の巻き数との合計値）は、６．５である。
【００７７】
第三変形例でも、第一及び第二変形例と同様に、第一コイル導体２１、第二コイル導体２２、第三コイル導体２３、第四コイル導体２４、第五コイル導体２５、及び第六コイル導体２６の各外径は、同等である。第一コイル導体２１の内径と第六コイル導体２６の内径とは、同等である。第二コイル導体２２の内径と第五コイル導体２５の内径とは、同等である。第三コイル導体２３の内径と第四コイル導体２４の内径とは、同等である。第一コイル導体２１及び第六コイル導体２６の各内径は、第三コイル導体２３及び第四コイル導体２４の各内径より大きい。第二コイル導体２２及び第五コイル導体２５の各内径は、第三コイル導体２３及び第四コイル導体２４の各内径より小さい。
【００７８】
第三変形例でも、第三コイル導体２３の巻き数と第四コイル導体２４の巻き数とは、第五コイル導体２５の巻き数と第二コイル導体２２の巻き数とより小さく、かつ、第一コイル導体２１の巻き数と第六コイル導体２６の巻き数とより大きい。すなわち、第一コイル導体２１の巻き数と第六コイル導体２６の巻き数とは、第五コイル導体２５の巻き数と第二コイル導体２２の巻き数とより小さい。
【００７９】
第一コイルＣ１の巻き数及び第三コイルＣ３の巻き数が、第二コイルＣ２の巻き数より小さい。このため、積層コモンモードフィルタＣＦ４では、積層コモンモードフィルタＣＦ１に比して、第一コイルＣ１のインダクタンス値と、第三コイルＣ３のインダクタンス値とが小さい。また、積層コモンモードフィルタＣＦ４では、積層コモンモードフィルタＣＦ１に比して、互いに磁気結合し難い第一コイル導体２１及び第六コイル導体２６の各巻き数が小さい。したがって、積層コモンモードフィルタＣＦ４では、積層コモンモードフィルタＣＦ１に比して、第一コイルＣ１と第三コイルＣ３との間での漏れＬ値が小さい。
【００８０】
コイルの巻き数が小さい場合、コイルの巻き数が大きい場合に比して、当該コイルを構成するコイル導体の面積が小さく、静電容量値が小さい。このため、コイルの巻き数が小さい場合、コイルの巻き数が大きい場合に比して、特性インピーダンスが大きいおそれがある。
【００８１】
第三変形例では、積層コモンモードフィルタＣＦ１に比して、第二コイル導体２２の巻き数及び第五コイル導体２５の巻き数が大きい。したがって、第三変形例では、積層コモンモードフィルタＣＦ１に比して、第一コイルＣ１と第三コイルＣ３との間の静電容量値が大きい。
【００８２】
以上のことから、第三変形例では、第一コイルＣ１及び第三コイルＣ３での特性インピーダンスが大きくなるのが更に抑制されている。この結果、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとのばらつきが更に抑制されている。すなわち、積層コモンモードフィルタＣＦ４では、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとの差が極めて小さい。
【００８３】
第三変形例では、第二変形例に比して、第二コイル導体２２及び第五コイル導体２５の各巻き数が小さい。第三変形例と第二変形例とでは、第二コイル導体２２及び第五コイル導体２５の各外形は同等である。このため、第三変形例では、第二変形例に比して、第二コイル導体２２の内径が大きい、すなわち、第二コイル導体２２の内側の面積が大きい。この結果、第二コイル導体２２の内側に位置する三つのパッド導体４２，５４，５５の形成が容易である。同じく、第三変形例では、第二変形例に比して、第五コイル導体２５の内径が大きい、すなわち、第五コイル導体２５の内側の面積が大きい。この結果、第五コイル導体２５の内側に位置する三つのパッド導体４５，５２，５３の形成が容易である。
【００８４】
次に、図１６及び図１７、並びに、図１４及び図１５を参照して、本実施形態の第四変形例に係る積層コモンモードフィルタＣＦ５の構成を説明する。図１６は、第四変形例に係る積層コモンモードフィルタが備える素体の断面構成を説明するための図である。図１７は、第三コイル導体と第四コイル導体とを示す平面図である。
【００８５】
積層コモンモードフィルタＣＦ５は、上述した積層コモンモードフィルタＣＦ１と同様に、素体１と、素体１の外表面に配置される第一端子電極１１、第二端子電極１２、第三端子電極１３、第四端子電極１４、第五端子電極１５、及び第六端子電極１６と、を備えている（図１参照）。積層コモンモードフィルタＣＦ４は、図１６及び図１７に示されるように、第一コイル導体２１、第二コイル導体２２、第三コイル導体２３、第四コイル導体２４、第五コイル導体２５、及び第六コイル導体２６を、非磁性体部３に備えている。
【００８６】
積層コモンモードフィルタＣＦ５は、第一コイル導体２１、第二コイル導体２２、第五コイル導体２５、及び第六コイル導体２６の形状（巻き数）が積層コモンモードフィルタＣＦ４と同じである。積層コモンモードフィルタＣＦ５が備える第一コイル導体２１及び第二コイル導体２２は、図１４に示される第一コイル導体２１及び第二コイル導体２２と同じである。第五コイル導体２５及び第六コイル導体２６は、図１５に示されている第五コイル導体２５及び第六コイル導体２６と同じである。
【００８７】
第四変形例でも、第一コイル導体２１の巻き数は、１．７５であり、第二コイル導体２２の巻き数は、４．７５である（図１４参照）。第一コイルＣ１の巻き数（第一コイル導体２１の巻き数と第二コイル導体２２の巻き数との合計値）は、６．５である。第三コイル導体２３の巻き数と第四コイル導体２４の巻き数とは、３．７５である（図１７参照）。第二コイルＣ２の巻き数（第三コイル導体２３の巻き数と第四コイル導体２４の巻き数との合計値）は、７．５である。第五コイル導体２５の巻き数は、４．７５であり、第六コイル導体２６の巻き数は、１．７５である（図１５参照）。第三コイルＣ３の巻き数（第五コイル導体２５の巻き数と第六コイル導体２６の巻き数との合計値）は、６．５である。
【００８８】
第四変形例では、第三コイル導体２３及び第四コイル導体２４の各外径は、第一コイル導体２１、第二コイル導体２２、第五コイル導体２５、及び第六コイル導体２６の各外径よりも小さい。第一コイル導体２１の内径と第六コイル導体２６の内径とは、同等である。第二コイル導体２２、第三コイル導体２３、第四コイル導体２４、及び第五コイル導体２５の各内径とは、同等である。第一コイル導体２１及び第六コイル導体２６の各内径は、第二コイル導体２２、第三コイル導体２３、第四コイル導体２４、及び第五コイル導体２５の各内径より大きい。
【００８９】
積層コモンモードフィルタＣＦ５では、積層コモンモードフィルタＣＦ４と同様に、第一コイルＣ１及び第二コイルＣ２での特性インピーダンスと、第二コイルＣ２及び第三コイルＣ３での特性インピーダンスと、第一コイルＣ１及び第三コイルＣ３での特性インピーダンスとの差が極めて小さい。積層コモンモードフィルタＣＦ５でも、第二コイル導体２２の内側に位置する三つのパッド導体４２，５４，５５の形成が容易であり、第五コイル導体２５の内側に位置する三つのパッド導体４５，５２，５３の形成が容易である。
【００９０】
積層コモンモードフィルタＣＦ５では、上述したように、第三コイル導体２３及び第四コイル導体２４の各外径は、第一コイル導体２１、第二コイル導体２２、第五コイル導体２５、及び第六コイル導体２６の各外径よりも小さい。このため、積層コモンモードフィルタＣＦ５では、積層コモンモードフィルタＣＦ４に比して、第三コイル導体及び第四コイル導体の各内径を小さくできる。したがって、積層コモンモードフィルタＣＦ５では、積層コモンモードフィルタＣＦ４に比して、第一コイルＣ１及び第三コイルＣ３の各インダクタンス値と第二コイルＣ２のインダクタンス値との差が小さい。
【００９１】
以上、本発明の実施形態について説明してきたが、本発明は必ずしも上述した実施形態に限定されるものではなく、その要旨を逸脱しない範囲で様々な変更が可能である。
【００９２】
第一〜第六コイル導体２１，２２，２３，２４，２５，２６の巻き数は、上述した数値に限られない。
【００９３】
第二コイル導体２２、第三コイル導体２３、第四コイル導体２４、第五コイル導体２５の巻き数が同じであり、かつ、第一コイル導体２１及び第六コイル導体２６の巻き数が、第二コイル導体２２、第三コイル導体２３、第四コイル導体２４、第五コイル導体２５の巻き数よりも小さくてもよい。
【符号の説明】
【００９４】
１…素体、１ａ…第一主面、１ｂ…第二主面、２１…第一コイル導体、２２…第二コイル導体、２３…第三コイル導体、２４…第四コイル導体、２５…第五コイル導体、２６…第六コイル導体、Ｃ１…第一コイル、Ｃ２…第二コイル、Ｃ３…第三コイル、ＣＦ１，ＣＦ２，ＣＦ３…積層コモンモードフィルタ。
【図１】
2018073854.tif 000003
【図２】
2018073854.tif 000004
【図３】
2018073854.tif 000005
【図４】
2018073854.tif 000006
【図５】
2018073854.tif 000007
【図６】
2018073854.tif 000008
【図７】
2018073854.tif 000009
【図８】
2018073854.tif 000010
【図９】
2018073854.tif 000011
【図１０】
2018073854.tif 000012
【図１１】
2018073854.tif 000013
【図１２】
2018073854.tif 000014
【図１３】
2018073854.tif 000015
【図１４】
2018073854.tif 000016
【図１５】
2018073854.tif 000017
【図１６】
2018073854.tif 000018
【図１７】
2018073854.tif 000019